(57)【要約】【課題】ホース同士を連結した状態でホースを巻き取りやすいように形状を工夫したホース接続用アダプターを提供することを課題とする。【解決手段】ホース接続用アダプター１は、連結軸部３を介して一体に固定される２つの接続軸部２、２を有し、各接続軸部２は、それぞれの先端部がホース１１の先端部に取り付けられるコネクター１０を軸心回りに回転自在に装着可能であって、両接続軸部２は、それらの軸心が互いにねじれの位置にあることを特徴とする。【選択図】図１
2010127434.tif 000002
【特許請求の範囲】
【請求項１】
連結軸部を介して一体に固定される２つの接続軸部を有し、
各接続軸部は、それぞれの先端部がホースの先端部に取り付けられるコネクターを軸心回りに回転自在に装着可能であって、
両接続軸部は、それらの軸心が互いにねじれの位置にあることを特徴とするホース接続用アダプター。
【請求項２】
一方の上記接続軸部の先端部から上記連結軸部を経由して他方の上記接続軸部の先端部まで貫通する連通孔を内部に設けたことを特徴とする請求項１記載のホース接続用アダプター。
【発明の詳細な説明】
【技術分野】
【０００１】
本発明は、２本のホース先端部に取り付けられるコネクターの間に介在させて、両ホースを相互に連結するホース接続用アダプターに関する。
【背景技術】
【０００２】
散水等に用いられるホースリールにおいては、一般に散水側ホースと水道側ホースが存在する。
ホースリールにホースを収納する際には、散水側ホースをドラムに巻き取って収納するが、水道側ホースも同様に巻き取って収納できれば便利である。そこで、散水側ホースと水道側ホースとの先端部に設けられた各コネクターを連結することのできるホース接続用アダプターが用いられ、散水側ホースと水道側ホースとを連結して巻き取っていた。
【０００３】
また、ホースリールに備え付けられた既存のホースのみでは散水場所への長さが足りず、延長用ホースを繋げてホースを延長する場合にも、同様にそれぞれのホース先端部に設けられた各継手部材をホース接続用アダプターで連結していた。
【０００４】
従来このようなホース接続用アダプターでは、ホース先端のコネクターに差し込まれる接続部を両端に設けた直線形状のものが多く用いられていた。
また、ガスホースの分野において、特許文献１には、ホースの先端部とコネクターとの間にくの字状に屈曲させた管材を介装し、この管材を取り付けるコネクターの取付口部分もくの字状に屈曲させて、この管材をコネクターに差し込み、抜け止め用のピンで係止している。これにより、ホースとコネクターとを回転自在に接続して、角度を直線状から直交状まで自在に選択できる発明が記載されている。
【０００５】
【特許文献１】特開２００２−２７６８７２号公報
【０００６】
従来のように直線形状のホース接続用アダプターでは、散水側ホースを水道側ホースに連結して巻き取る際に、ホース接続用アダプターがホースリールのホースの出入口の縁部分に引っ掛かって巻き取りの障害となることがあった。
また、特許文献１に記載のコネクターをホースに取り付けて、直線形状のホース接続用アダプターで連結した場合には、散水側ホースと水道側ホースとをホースリールに収納しやすいよう屈曲させて連結することができる。しかし、特許文献１のコネクターを屋外用の散水ホースに用いた場合、ピンを貫通させるための差込孔などの隙間から小石や砂などの異物が入り込み、回転できなくなる事態が起こり得る。この状態で、散水側ホースと水道側ホースとの連結の角度がドラムの中心方向に凸となると、各コネクターやホース接続用アダプターがホースリールのホースの出入口の縁部分に引っ掛かりやすくなり、かえってホースの巻き取りの障害となっていた。
【発明の開示】
【発明が解決しようとする課題】
【０００７】
本発明は上記問題点を解決するためになされたものであり、ホース同士を連結した状態でホースを巻き取りやすいように形状を工夫したホース接続用アダプターを提供することを課題とする。
【課題を解決するための手段】
【０００８】
本発明において、上記課題が解決される手段は以下の通りである。
第１の発明は、連結軸部を介して一体に固定される２つの接続軸部を有し、各接続軸部は、それぞれの先端部がホースの先端部に取り付けられるコネクターを軸心回りに回転自在に装着可能であって、両接続軸部は、それらの軸心が互いにねじれの位置にあることを特徴とするホース接続用アダプターである。
【０００９】
第２の発明は、一方の上記接続軸部の先端部から上記連結軸部を経由して他方の上記接続軸部の先端部まで貫通する連通孔を内部に設けたことを特徴とする。
【発明の効果】
【００１０】
第１の発明によれば、ホース同士を連結してホースリールに巻き取る際に、仮にホース接続用アダプターがホースリールの中心方向に凸に傾いても、各接続軸部は、それぞれの先端部がホースの先端部に取り付けられるコネクターを軸心回りに回転自在に装着可能であって、両接続軸部は、それらの軸心が互いにねじれの位置にあることにより、ホースの重みによってホース接続用アダプターを軸心周りに回転させるモーメントが発生して、ホースが自動的に回転する。
これにより、ホース接続用アダプターが、ホースリールのドラムの中心方向に凹の姿勢でホースとともに巻き取られるため、ホースリールのホース出入口の縁部分に引っ掛かることなくスムーズに収納することができ、ホースリールのドラムに沿って円弧状に収納することができる。
【００１１】
第２の発明によれば、一方の上記接続軸部の先端部から上記連結軸部を経由して他方の上記接続軸部の先端部まで貫通する連通孔を内部に設けたことにより、ホース同士を連結させた状態での通水が可能となるため、ホースの収納時だけでなく散水時にも、延長用ホースを連結するホース接続用アダプターとして用いることが可能である。
【発明を実施するための最良の形態】
【００１２】
以下、本発明の実施形態に係るホース接続用アダプター１について説明する。
図１は本発明の実施形態に係るホース接続用アダプター１を示す図であり、（ａ）は右側方図、（ｂ）は平面図、（ｃ）は正面図、（ｄ）は底面図である。また、図２は同ホース接続用アダプターの断面図であり、（ａ）は図１中のＢ−Ｂ線断面図、（ｂ）は図１中のＡ−Ａ線断面図、（ｃ）は図１中のＣ−Ｃ線断面図である。また、図１中の破線は接続軸部２の軸心を表している。
【００１３】
本発明の実施形態に係るホース接続用アダプター１は、２つの接続軸部２と、それらの基端部を繋ぐ連結軸部３とからなり、全体として屈曲形状に形成されている。
接続軸部２および連結軸部３は、それぞれ縦板と横板とからなる断面十字形に成形されている。
【００１４】
各接続軸部２の基端部と連結軸部３の両端との間には、各接続軸部２の軸心に垂直に取り付けられた鍔状の第一係止部材４をそれぞれ介在させており、ホース接続用アダプター１の両端からホース１１先端のコネクター１０を装着した際に、第一係止部材４はコネクター１０の先端面に当接して係止する役割を果たす（図１０）。
各接続軸部２の基端部では、縦板２ａおよび横板２ｂが幅広になっており、各第一係止部材４付近の屈曲部分の強度を向上させている。
【００１５】
また、各接続軸部２の先端部には、その軸心に対して垂直に取り付けられた鍔状の第二係止部材５を設けている。ホース接続用アダプター１の両端からコネクター１０を装着した際には、この第二係止部材５はコネクター１０の内部に挿入されて、コネクター１０内方に突出する突出片１５によって係止され、ホース接続用アダプター１の抜け止めの役割を果たす（図１０）。このため、第二係止部材５は、第一係止部材４よりも小径に設定される。
【００１６】
両接続軸部２は、連結軸部３の横板３ｂに対し同じ勾配で下方に屈曲している（図１（ｃ））。しかし、両接続軸部２の軸心が互いに幅方向にずれて連結軸部３に取り付けられており（図１（ｂ）、（ｄ））、軸線が交わることはない。このように両接続軸部２の軸心は、互いに交わることがなく、かつ、同一平面上に存在しないねじれの位置の関係にある。
【００１７】
連結軸部３の縦板３ａは、水平な横板３ｂに対し垂直に立設されており（図１（ａ）、図２（ａ））、一方の接続軸部２の基端部から他方の接続軸部２の基端部へと傾斜して設けられている（図１（ｂ）、（ｄ））。
この縦板３ａの上部中央には、紐等を通すことができる孔３ｃが穿設され、ホースリール等の保管場所にぶら下げて保管できるようになっている（図１（ｃ）、図２（ｂ））。
【００１８】
ホース１１の先端部に同軸的に取り付けられているコネクター１０は、図８から図１０に示すように、ホース１１と連通して内部に水を連通させる内筒１２の周りに、大径の外筒１３を配置している。この外筒１３は、コネクター１０内部のスプリング１４によって先端方向に付勢されており、通常は外筒１３の先端が内筒１２の先端と揃った位置で係止されているが（図８）、手動によりスライドして後退させることができる。
【００１９】
内筒１２には、周上等間隔に４つの孔が穿設されており、それぞれ４つの突出片１５が収められている（図８、図１０）。図１０に示すように、この突出片１５は、内筒１２の周方向の軸部１５ａにて回動可能に内筒１２に担持されて、先端側は内筒１２の内方に向かって曲折している。
【００２０】
外筒１３がコネクター１０の先端に位置しているときには、各突出片１５は外筒１３によって内筒１２の内方に向けて押し込まれており、内筒１２の内周面から中心方向に突出した状態で強固に固定されている（図１０）。一方、外筒１３を突出片１５よりもスライドして後退させたときには、突出片１５に外筒１３からの力が加わらないため、内筒１２の中心から径方向に押して回動させることで、突出片１５を内筒１２の内周面まで押し出すことができる。
【００２１】
このようなホース接続用アダプター１とコネクター１０との着脱について説明する。
ホース接続用アダプター１をコネクター１０に装着するには、コネクター１０の外筒１３を後退させた状態で、ホース接続用アダプター１の接続軸部２をコネクター１０の内筒１２へ挿入する。その際、接続軸部２先端の第二係止部材５は、突出片１５を容易に回動させて内筒１２の径方向外方へ押し出し、突出片１５よりもホース１１の奥側に進入する。
【００２２】
次いでコネクター１０の外筒１３を解放すると、スプリング１４の付勢力により外筒１３がコネクター１０先端側へ戻される。この外筒１３により突出片１５が押し込まれ、内筒１２の内周面から中心方向に突出した状態で強固に固定される。この状態では、ホース接続用アダプター１が抜け出る方向に動いても、第二係止部材５が突出片１５に引っ掛かるため、ホース接続用アダプター１がコネクター１０から外れることがない（図１０）。
【００２３】
このとき、ホース接続用アダプター１は、第一係止部材４がコネクター１０先端面に当接する位置より深く進入することはできず、第二係止部材５が突出片１５に抜け止めされる位置よりも浅く引き戻すことはできないが、その中間の位置ではコネクター１０に拘束されることなく、コネクター１０に対して軸回りに回転することができる。
【００２４】
ホース接続用アダプター１をコネクター１０から離脱させるには、コネクター１０の外筒１３を後退させて、外筒１３による突出片１５の固定状態を解除する。この状態でホース接続用アダプター１を引き戻すと、第二係止部材５が突出片１５を径方向外方へ押し出しながらコネクター１０先端側へ移動し、コネクター１０からホース接続用アダプター１を抜き出すことができる。
【００２５】
先端にコネクター１０を取り付けた２本のホース１１にホース接続用アダプター１の各接続軸部２をそれぞれ挿入して装着すると、２本のホース１１を連結することができる（図９、図１０）。
以下、ホース接続用アダプター１を用いて、ホースリール２０の散水側ホース２１の先端に水道側ホース２２を連結し、ホースリール２０に収納する場合について説明する。
【００２６】
図３から図７に示すように、ホースリール２０は、円筒状のドラム２３とケース２４とを有し、ホースを巻き取るドラム２３が両端にてケース２４に回転可能に支持されてなる。ドラム２３の両端の一方には、取水口２５がケース２４から側方に突出して設けられている。この取水口２５は、ドラム２３の外周面に設けられた排水口（図示せず）に連通しており、取水口２５に取り込んだ水がドラム２３の内部を通過して排水口から放出できるようになっている。また、ケース２４の正面にはホースの出し入れを行うホース出入口２４ａが穿設されている。
【００２７】
ホースリール２０に用いる水道側ホース２２は、一端を水道の蛇口（図示せず）に接続され、他端をホースリール２０側面の取水口２５に接続されて、散水時には水道からホースリール２０に水を供給する。散水側ホース２１は、一端をドラム２３外周面の排水口に接続され、他端には散水用ノズル（図示せず）を取り付けて散水する。この散水側ホース２１は、収納時にはホースリール２０のドラム２３に巻き取って収納され、散水時には適宜ホースリール２０から引き出して使用される。
水道側ホース２２および散水側ホース２１の両端部には、コネクター１０が同軸的に取り付けられている。
【００２８】
散水後、散水側ホース２１および水道側ホース２２を収納するには、まず散水側ホース２１の一端のコネクター１０の先端部に取り付けられた散水用ノズルを取り外し、水道側ホース２２のコネクター１０を蛇口から取り外す。
次いで、ホース接続用アダプター１を用意し、一方の接続軸部２を散水側ホース２１の先端部のコネクター１０に装着し、他方の接続軸部２を水道側ホース２２の先端部のコネクター１０に装着することで、散水側ホース２１の先端部に水道側ホース２２を連結する（図８、図９参照）。
【００２９】
その後、通常の手順で散水側ホース２１をドラム２３に巻き取ってホースリール２０に収納していく。
散水側ホース２１の先端部付近まで巻き取りが進むと、図３のように、ホース接続用アダプター１の姿勢が、ドラム２３の中心方向に凸に傾いてしまうことがある。
しかし、図３（ａ）に示すように、ホース接続用アダプター１の両接続軸部２はねじれの位置の関係にあり、軸心が互いに幅方向にずれているため、水道側ホースの重みによって、図３（ａ）中向かって軸心の右回りにホース接続用アダプターを回転させるモーメントが発生する（図４（ａ））。図３（ａ）中の一点鎖線は水道側ホース２２側の接続軸部２の軸心を表し、二点鎖線は散水側ホース２１側の接続軸部２の軸心を表している。
【００３０】
これにより、ホース接続用アダプター１は水道側ホース２２ごと軸心の右回りに自転して（図４、図５、図６）、ドラム２３の中心方向に凹に傾いた姿勢で停止する。このとき、水道側ホース２２の先端部はホース接続用アダプター１から垂れ下がった状態に変位しているため（図６）、ホース接続用アダプター１およびコネクター１０がホース出入口２４ａの縁部分に引っ掛かることなくスムーズに通過して収納される。また、図７に示すように、ホースリール２０に完全に収納した状態では、ホース接続用アダプター１がドラム２３の中心方向に凹となっているため、ドラム２３に沿って円弧状に収納することが可能となっている。
【００３１】
＜別態様＞
別態様として、ホース接続用アダプターの内部に通水できるように形成して、ホース接続用アダプターにて連結されるホース間に水が流通できるようにしてもよい。
図１１は別態様に係るホース接続用アダプター３１を示す図であり、（ａ）は右側方図、（ｂ）は平面図、（ｃ）は正面図、（ｄ）は底面図、（ｅ）は斜視図である。図１２は、連通孔３６を示すＥ−Ｅ線断面図である。図１１中の破線は、各接続軸部３２の軸心を表している。
【００３２】
先の実施形態では両接続軸部２および連結軸部３を断面十字状の板材により構成したが、この別態様では、図１１、図１２に示すように、両接続軸部３２および連結軸部３３を管材により構成し、内部に、一方の接続軸部３２の先端部から連結軸部３３を経由して他方の接続軸部３２の先端部まで貫通する連通孔３６を設けている。
【００３３】
また、連結軸部３３は両接続軸部３２の中間に位置して、中央でくの字状に屈折した管材となっている（図１１（ｃ）、図１２）。
その他の構成は先の実施形態とほぼ同様であり、両接続軸部３２はねじれの位置の関係にあり、接続軸部３２の基端部には第一係止部材３４が設けられ、先端部には第二係止部材３５が設けられる。
【００３４】
このようなホース接続用アダプター３１では、一方の接続軸部３２の先端部から連結軸部３３を経由して他方の接続軸部３２の先端部まで貫通する連通孔３６を内部に設けたことにより、ホース同士を連結させた状態での通水が可能となる。このため、たとえばホースリール２０に備え付けられた散水側ホース２１では散水場所への長さが足りない場合に延長用ホース（図示せず）を連結して、収納時だけでなく散水時にもホース接続用アダプター３１を使用することができる。
【図面の簡単な説明】
【００３５】
【図１】本発明の実施形態に係るホース接続用アダプターを示す図であり、（ａ）は右側方図、（ｂ）は平面図、（ｃ）は正面図、（ｄ）は底面図である。
【図２】（ａ）は図１中のＢ−Ｂ線断面図、（ｂ）は図１中のＡ−Ａ線断面図、（ｃ）は図１中のＣ−Ｃ線断面図である。
【図３】ホース接続用アダプターを用いたホースの巻き取りを示す図であり、（ａ）は正面図、（ｂ）は側面図である。
【図４】ホース接続用アダプターを用いたホースの巻き取り時の回転を示す図であり、（ａ）は正面図、（ｂ）は側面図である。
【図５】ホース接続用アダプターを用いたホースの巻き取り時の回転を示す図であり、（ａ）は正面図、（ｂ）は側面図である。
【図６】ホース接続用アダプターを用いたホースの巻き取り時の回転を示す図であり、（ａ）は正面図、（ｂ）は側面図である。
【図７】ホース接続用アダプターを用いたホースのホースリールへの収納状態を示す図である。
【図８】ホース接続用アダプターと両コネクターとの接続状態を説明する斜視図である。
【図９】ホース接続用アダプターと両コネクターとの接続状態を示す平面図である。
【図１０】図９中のＤ−Ｄ線断面図である。
【図１１】別態様に係るホース接続用アダプターを示す図であり、（ａ）は右側方図、（ｂ）は平面図、（ｃ）は正面図、（ｄ）は底面図、（ｅ）は斜視図である。
【図１２】図１１中のＥ−Ｅ線断面図である。
【符号の説明】
【００３６】
１  ホース接続用アダプター
２  接続軸部
２ａ  縦板
２ｂ  横板
３  連結軸部
３ａ  縦板
３ｂ  横板
３ｃ  孔
４  第一係止部材
５  第二係止部材
１０  コネクター
１１  ホース
１２  内筒
１３  外筒
１４  スプリング
１５  突出片
１５ａ  軸部
２０  ホースリール
２１  散水側ホース
２２  水道側ホース
２３  ドラム
２４  ケース
２４ａ  ホース出入口
２５  取水口
３１  ホース接続用アダプター
３２  接続軸部
３３  連結軸部
３４  第一係止部材
３５  第二係止部材
３６  連通孔
【図１】
2010127434.tif 000003
【図２】
2010127434.tif 000004
【図３】
2010127434.tif 000005
【図４】
2010127434.tif 000006
【図５】
2010127434.tif 000007
【図６】
2010127434.tif 000008
【図７】
2010127434.tif 000009
【図８】
2010127434.tif 000010
【図９】
2010127434.tif 000011
【図１０】
2010127434.tif 000012
【図１１】
2010127434.tif 000013
【図１２】
2010127434.tif 000014